(57)【要約】【課題】映像データを見ることで、映像データに映っている対象の物体の状態を特定できるようにする。【解決手段】物体特定部２２は、映像データに含まれる領域のうち対象領域に存在する対象の物体を特定する。情報特定部２３は、特定された物体についての指定情報を特定する。映像表示部２４は、映像データを表示する。標章表示部２５は、特定された指定情報を表す標章を、物体の付近に物体の移動に追従させて、映像データ上に表示する。【選択図】図１
2019062402.tif 000002
【特許請求の範囲】
【請求項１】
映像データに含まれる領域のうち対象領域に存在する対象の物体を特定する物体特定部と、
前記物体特定部によって特定された前記物体についての指定情報を特定する情報特定部と、
前記映像データを表示する映像表示部と、
前記情報特定部によって特定された前記指定情報を表す標章を、前記物体の付近に前記物体の移動に追従させて、前記映像表示部によって表示される前記映像データ上に表示する標章表示部と
を備える映像表示装置。
【請求項２】
前記標章表示部は、前記指定情報が条件を満たすか否かに応じて、異なる標章を表示する
請求項１に記載の映像表示装置。
【請求項３】
前記標章表示部は、前記指定情報に応じた値を示す計器を表す図形を前記標章として表示する
請求項１又は２に記載の映像表示装置。
【請求項４】
前記指定情報は、対象領域における前記物体の滞在時間であり、
前記標章表示部は、前記滞在時間を示す計器を表す図形を前記標章として表示する
請求項３に記載の映像表示装置。
【請求項５】
前記標章表示部は、前記滞在時間が条件として指定された基準時間よりも長い場合には、前記図形を変化させて表示する
請求項４に記載の映像表示装置。
【請求項６】
前記映像データには、複数の対象領域が含まれ、
前記条件は、対象領域毎に定められたことを特徴とする
請求項２に記載の映像表示装置。
【請求項７】
前記映像データには、複数の対象領域が含まれ、
前記条件は、対象領域毎に定められた部分条件の組合せによって定められたことを特徴とする
請求項２に記載の映像表示装置。
【請求項８】
映像データに含まれる領域のうち対象領域に存在する物体を特定する対象特定処理と、
前記対象特定処理によって特定された前記物体についての指定情報を特定する情報特定処理と、
前記映像データを表示する映像表示処理と、
前記情報特定処理によって特定された前記指定情報を表す標章を、前記物体の付近に前記物体の移動に追従させて、前記映像表示処理によって表示される前記映像データ上に表示する標章表示処理と
をコンピュータに実行させる映像表示プログラム。
【発明の詳細な説明】
【技術分野】
【０００１】
この発明は、映像に含まれる対象の物体についての情報を映像に示した上で表示する映像表示技術に関する。
【背景技術】
【０００２】
映像データから、対象領域の混雑状況を特定する技術と、待ち人数を特定する技術といった映像解析技術があった。特許文献１には、広告表示装置を見るユーザを撮影した映像データに基づき、広告表示装置の前にユーザが滞在した時間を検出することが記載されている。
【先行技術文献】
【特許文献】
【０００３】
【特許文献１】特開２００５−２６７６１１号公報
【発明の概要】
【発明が解決しようとする課題】
【０００４】
従来の映像解析技術では、映像データを見る人が、映像データだけを見て、映像データに映っている各人の状態を特定することはできなかった。例えば、待合所を撮影した映像データに複数の人が映っている場合に、映像データを見る人が、映像データだけを見て、各人がどの程度の時間待っているかを特定することはできなかった。
この発明は、映像データを見ることで、映像データに映っている対象の物体の状態を特定できるようにすることを目的とする。
【課題を解決するための手段】
【０００５】
この発明に係る映像表示装置は、
映像データに含まれる領域のうち対象領域に存在する対象の物体を特定する物体特定部と、
前記物体特定部によって特定された前記物体についての指定情報を特定する情報特定部と、
前記映像データを表示する映像表示部と、
前記情報特定部によって特定された前記指定情報を表す標章を、前記物体の付近に前記物体の移動に追従させて、前記映像表示部によって表示される前記映像データ上に表示する標章表示部と
を備える。
【０００６】
前記標章表示部は、前記指定情報が条件を満たすか否かに応じて、異なる標章を表示する。
【０００７】
前記標章表示部は、前記指定情報に応じた値を示す計器を表す図形を前記標章として表示する。
【０００８】
前記指定情報は、対象領域における前記物体の滞在時間であり、
前記標章表示部は、前記滞在時間を示す計器を表す図形を前記標章として表示する。
【０００９】
前記標章表示部は、前記滞在時間が条件として指定された基準時間よりも長い場合には、前記図形を変化させて表示する。
【００１０】
前記映像データには、複数の対象領域が含まれ、
前記条件は、対象領域毎に定められた。
【００１１】
前記映像データには、複数の対象領域が含まれ、
前記条件は、対象領域毎に定められた部分条件の組合せによって定められた。
【００１２】
この発明に係る映像表示プログラムは、
映像データに含まれる領域のうち対象領域に存在する物体を特定する対象特定処理と、
前記対象特定処理によって特定された前記物体についての指定情報を特定する情報特定処理と、
前記映像データを表示する映像表示処理と、
前記情報特定処理によって特定された前記指定情報を表す標章を、前記物体の付近に前記物体の移動に追従させて、前記映像表示処理によって表示される前記映像データ上に表示する標章表示処理と
をコンピュータに実行させる。
【発明の効果】
【００１３】
この発明では、指定情報を表す標章が、物体の付近に物体の移動に追従させて、映像データ上に表示される。これにより、映像データを見ることで、映像データに映っている対象の物体の状態を特定することができる。
【図面の簡単な説明】
【００１４】
【図１】実施の形態１に係る映像表示装置１０の構成図。
【図２】実施の形態１に係る映像表示装置１０の動作を示すフローチャート。
【図３】実施の形態１に係る映像表示装置１０の動作の説明図。
【図４】実施の形態１に係る標章３３の説明図。
【図５】変形例１に係る映像表示装置１０の動作の説明図。
【図６】変形例１に係る対象領域３１の説明図。
【図７】変形例２に係る映像表示装置１０の動作の説明図。
【図８】変形例３に係る映像表示装置１０の動作の説明図。
【図９】変形例４に係る映像表示装置１０の構成図。
【発明を実施するための形態】
【００１５】
実施の形態１．
＊＊＊構成の説明＊＊＊
図１を参照して、実施の形態１に係る映像表示装置１０の構成を説明する。
映像表示装置１０は、プロセッサ１１と、メモリ１２と、ストレージ１３と、通信インタフェース１４とのハードウェアを備える。プロセッサ１１は、信号線を介して他のハードウェアと接続され、これら他のハードウェアを制御する。
【００１６】
プロセッサ１１は、プロセッシングを行うＩＣ（Ｉｎｔｅｇｒａｔｅｄ  Ｃｉｒｃｕｉｔ）である。プロセッサ１１は、具体例としては、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＧＰＵ（Ｇｒａｐｈｉｃｓ  Ｐｒｏｃｅｓｓｉｎｇ  Ｕｎｉｔ）である。
【００１７】
メモリ１２は、データを一時的に記憶する記憶装置である。メモリ１２は、具体例としては、ＳＲＡＭ（Ｓｔａｔｉｃ  Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）である。
【００１８】
ストレージ１３は、データを保管する記憶装置である。ストレージ１３は、具体例としては、ＨＤＤ（Ｈａｒｄ  Ｄｉｓｋ  Ｄｒｉｖｅ）である。また、ストレージ１３は、ＳＤ（Ｓｅｃｕｒｅ  Ｄｉｇｉｔａｌ）メモリカード、ＣＦ（ＣｏｍｐａｃｔＦｌａｓｈ，登録商標）、ＮＡＮＤフラッシュ、フレキシブルディスク、光ディスク、コンパクトディスク、ブルーレイ（登録商標）ディスク、ＤＶＤ（Ｄｉｇｉｔａｌ  Ｖｅｒｓａｔｉｌｅ
Ｄｉｓｋ）といった可搬記録媒体であってもよい。
【００１９】
通信インタフェース１４は、外部の装置と通信するためのインタフェースである。通信インタフェース１４は、具体例としては、Ｅｔｈｅｒｎｅｔ（登録商標）、ＵＳＢ（Ｕｎｉｖｅｒｓａｌ  Ｓｅｒｉａｌ  Ｂｕｓ）、ＨＤＭＩ（登録商標，Ｈｉｇｈ−Ｄｅｆｉｎｉｔｉｏｎ  Ｍｕｌｔｉｍｅｄｉａ  Ｉｎｔｅｒｆａｃｅ）のポートである。
映像表示装置１０は、通信インタフェース１４を介して、撮影装置１４１と、表示装置１４２とに接続されている。
【００２０】
映像表示装置１０は、機能構成要素として、映像取得部２１と、物体特定部２２と、情報特定部２３と、映像表示部２４と、標章表示部２５とを備える。映像表示装置１０の各機能構成要素の機能はソフトウェアにより実現される。
ストレージ１３には、映像表示装置１０の各機能構成要素の機能を実現するプログラムが格納されている。このプログラムは、プロセッサ１１によりメモリ１２に読み込まれ、プロセッサ１１によって実行される。これにより、映像表示装置１０の各機能構成要素の機能が実現される。
【００２１】
図１では、プロセッサ１１は、１つだけ示されていた。しかし、プロセッサ１１は、複数であってもよく、複数のプロセッサ１１が、各機能を実現するプログラムを連携して実行してもよい。
【００２２】
＊＊＊動作の説明＊＊＊
図２から図４を参照して、実施の形態１に係る映像表示装置１０の動作を説明する。
実施の形態１に係る映像表示装置１０の動作は、実施の形態１に係る映像表示方法に相当する。また、実施の形態１に係る映像表示装置１０の動作は、実施の形態１に係る映像表示プログラムの処理に相当する。
【００２３】
（図２のステップＳ１：映像取得処理）
映像取得部２１は、映像データ３０を取得する。
具体的には、映像取得部２１は、撮影装置１４１によって撮影された映像データ３０を、通信インタフェース１４を介して取得する。映像取得部２１は、取得された映像データ３０をメモリ１２に書き込む。
【００２４】
（図２のステップＳ２：物体特定処理）
物体特定部２２は、ステップＳ１で取得された映像データ３０に含まれる領域のうち対象領域３１に存在する対象の物体３２を特定する。対象領域３１は、撮影装置１４１の撮影領域内の領域であり、事前に映像表示装置１０の利用者によって設定された領域である。物体３２は、処理対象とするものである。物体３２は、具体例としては、人と荷物等である。
具体的には、物体特定部２２は、メモリ１２から映像データ３０を読み出す。物体特定部２２は、読み出された映像データ３０から対象領域３１のデータを部分データとして切り出す。物体特定部２２は、切り出された部分データと物体３２を特定するための参照画像データとのパターンマッチング等を行い、部分データに含まれる物体３２を特定する。物体特定部２２は、特定された物体３２をメモリ１２に書き込む。
【００２５】
図３を参照して具体的に説明する。
図３では、病院内を撮影した映像データ３０のうち、待合所の領域が対象領域３１になっている。また、人が対象の物体３２になっている。したがって、物体特定部２２は、映像データ３０から対象領域３１である待合所の領域のデータを部分データとして切出す。物体特定部２２は、切り出された部分データに含まれる物体３２である人を特定する。
【００２６】
（図２のステップＳ３：情報特定処理）
情報特定部２３は、ステップＳ２で特定された物体３２についての指定情報を特定する。指定情報は、事前に映像表示装置１０の利用者によって指定された情報であり、物体３２について表示させたい情報である。指定情報は、具体例としては、滞在時間（待ち時間）と、性別といった属性とである。
具体的には、情報特定部２３は、メモリ１２から映像データ３０及び物体３２を読み出す。情報特定部２３は、読み出された映像データ３０を解析することにより、物体３２についての指定情報を特定する。例えば、指定情報が滞在時間である場合には、情報特定部２３は、物体３２が対象領域３１に入ってからの経過時間を計算することにより、滞在時間を特定する。また、指定情報が性別である場合には、情報特定部２３は、物体３２の画像データと性別判定用の参照画像データとのパターンマッチング等を行い、物体３２の性別を特定する。情報特定部２３は、特定された指定情報をメモリ１２に書き込む。
【００２７】
（図２のステップＳ４：映像表示処理）
映像表示部２４は、ステップＳ１で取得された映像データ３０を表示する。
具体的には、映像表示部２４は、通信インタフェース１４を介して映像データ３０を表示装置１４２に送信して、映像データ３０を表示装置１４２に表示する。
【００２８】
（図２のステップＳ５：標章表示処理）
標章表示部２５は、ステップＳ３で特定された指定情報を表す標章３３を、物体３２の付近に物体３２の移動に追従させて、ステップＳ４で表示された映像データ３０上に表示する。標章３３は、文字と、図形と、記号と、色彩とのいずれか、又は文字と、図形と、記号と、色彩とのいずれか２つ以上の組合せである。標章３３は、事前にストレージ１３に記憶されている。
具体的には、標章表示部２５は、指定情報を表す標章３３をストレージ１３から読み出す。標章表示部２５は、通信インタフェース１４を介して読み出された標章３３を表示装置１４２に送信して、標章３３をその指定情報に対応する物体３２の付近に表示する。例えば、標章表示部２５は、物体３２を指し示すように標章３３を表示する。対象領域３１に複数の物体３２が存在する場合には、標章表示部２５は、各物体３２を対象として、対象の物体３２についての指定情報を表す標章３３を、対象の物体３２の付近に表示する。標章表示部２５は、映像データ３０において物体３２が移動する場合には、物体３２の移動に合わせて標章３３を移動させて表示する。
【００２９】
この際、標章表示部２５は、指定情報が条件を満たすか否かに応じて、異なる標章３３を表示する。例えば、標章表示部２５は、指定情報が条件を満たすか否かに応じて、色と模様と大きさと形状との少なくともいずれかを変えた標章３３を表示する。
【００３０】
図３を参照して具体的に説明する。
図３では、指定情報は物体３２である人の滞在時間になっている。標章表示部２５は、待合所にいる人の滞在時間を示す標章３３を、その滞在時間に対応する人の付近に表示する。
図３では、標章３３は、指定情報に応じた値を示す計器を表す図形になっている。図４に示すように、図３に示す標章３３は、滞在時間が１５分以上であれば標章３３Ａとなり、滞在時間が３０分以上であれば標章３３Ｂとなり、滞在時間が４５分以上であれば標章３３Ｃとなり、滞在時間が６０分以上であれば標章３３Ｄとなる。つまり、図３では、標章３３は、滞在時間に応じて計器のバーの長さが変化する。
また、ここでは、１時間を基準時間とする条件が設定されており、滞在時間が基準時間である１時間以上の場合に、滞在時間が基準時間である１時間未満の場合よりも目立つように標章３３の模様が変化している。
【００３１】
なお、標章表示部２５は、物体３２が移動して対象領域３１から出た場合には、標章３３の表示を止める。この際、標章表示部２５は、標章３３を徐々に小さくしていき、最終的に標章３３を消すようにしてもよい。標章表示部２５は、標章３３を徐々に小さくしている最中に、物体３２が再び対象領域３１に戻った場合には、標章３３を元の大きさで表示してもよい。
【００３２】
＊＊＊実施の形態１の効果＊＊＊
以上のように、実施の形態１に係る映像表示装置１０は、指定情報を表す標章３３を、物体３２の付近に物体３２の移動に追従させて、映像データ３０上に表示する。これにより、映像データ３０を見ることで、映像データ３０に映っている対象の物体３２の状態を特定することができる。標章３３を映像データ３０に重ね合わせて表示させることで、情報が一目でわかる「見える化」効果が期待できる。
【００３３】
図３の例であれば、映像データ３０を見ることで、待合所にいる各人がどれだけの時間待っているかを容易に特定することができる。特に、どの人が基準時間以上に待っているかを容易に特定することができる。
これにより、例えば、待ち時間の長い人が多い場合には、一次的に窓口を増やすといった対応を取ることができる。また、基準時間以上に待っている人がいる場合には、何らかの手続きの誤りにより待たせている可能性があるので、基準時間以上に待っている人に職員が確認を行うといった対応を取ることができる。その結果、サービスの質を高くすることができる。
【００３４】
また、人の代わりに鞄等の荷物を物体３２とし、指定情報を滞在時間としてもよい。このようにすれば、映像データ３０を見ることで、対象領域３１に長い時間存在する荷物を特定することができる。特に、荷物の近くに人がいなければ、その荷物は、忘れ物、あるいは、不審物の可能性があると特定することができる。これにより、その荷物の確認を行うといった対応を取ることができる。
【００３５】
また、ステップＳ５の標章表示処理の後、映像データ３０に標章３３を重ね合わせて表示させた映像データをストレージ１３に記憶してもよい。これにより、利用者は映像データをログデータとして、用いることができる。
【００３６】
＊＊＊他の構成＊＊＊
＜変形例１＞
図５を参照して、図３とは異なる例を説明する。
図３では、待合所を対象領域３１とした。しかし、図５に示すように、受付カウンター前を対象領域３１としてもよい。図５では、図３の例と同様に指定情報は滞在時間である。これにより、映像データ３０を見ることで、受付カウンターで各人が手続きにかかっている時間を特定することが可能である。
例えば、長い時間滞在している人は、手続きに問題が発生している可能性がある。そのため、長い時間滞在している人がいる場合には、スーパーバイザーが手続きの手助けをしに行くといった対応を取ることができる。また、受付カウンターが物販を行うカウンターである場合には、長い時間滞在している人は、物を購入しており、短時間しか滞在しなかった人は質問をしただけの可能性がある。物が購入されたか否かはＰＯＳ（Ｐｏｉｎｔ  ｏｆ  ｓａｌｅ）システムを用いれば特定可能である。しかし、ＰＯＳシステムを用いなくても、映像データ３０を見るだけで、厳密ではないものの、物が購入されたか否かを特定することができる。
【００３７】
また、図５では、映像データ３０の右上に対象領域３１である受付カウンター前にいる人の数が表示されている。この人の数は、受付カウンター前に基準時間以上いる人の数であってもよい。
図５のように人の数を表示し、人に合わせて標章３３を表示することで、どの人がカウントされたかを利用者にわかりやすく知らしめることができる。
【００３８】
なお、図３では、１５分毎に標章３３である計器のバーの長さを変化させていた。しかし、対象領域３１として設定される場所に応じて計器のバーの長さを変化させる時間間隔を変えてもよい。また、図３では、１時間を基準時間とする条件が設定されていた。しかし、対象領域３１として設定される領域に応じて基準時間を変えてもよい。
【００３９】
対象領域３１は、待合所と受付カウンター前とに限らず、どのような領域であってもよい。図６に示すように、待合所と受付カウンター前との他に、対象領域３１は、クロークと、テナントの入口エリアといった領域であってもよい。
また、図６に示すように、対象領域３１として設定される領域に応じて基準時間を変えてもよい。つまり、図３では、１時間を基準時間とする条件が設定されていたが、対象領域３１が受付カウンター前である場合には、２分を基準時間とする条件を設定してもよい。同様に、対象領域３１として設定される領域に応じて計器のバーの長さを変化させる時間間隔を変えてもよい。図３では、１５分毎に標章３３である計器のバーの長さを変化させていたが、対象領域３１が受付カウンター前である場合には、３０秒毎に標章３３である計器のバーの長さを変化させてもよい。
利用者はログデータとして記憶された映像データを見て、何らかの監視や制御を行うことができる。標章３３である計器のバーの変化が予想より速いまたは遅いことを確認した場合は、基準時間を変更することができる。このようにログデータ上の標章３３は、監視や制御を行うシステムの設定に用いることが期待できる。
なお、滞在時間以外の条件を組み合わせて、標章３３を変化させる条件を設定してもよい。例えば、対象領域３１が商品棚エリアである場合には、滞在時間が基準時間以上であり、かつ、商品棚に顔を向けた人の標章３３を変化させるようにしてもよい。
【００４０】
＜変形例２＞
図７を参照して、図３及び図５とは異なる例を説明する。
図３及び図５では、指定情報は滞在時間であった。しかし、図７に示すように、指定情報は性別及び年齢といった属性であってもよい。図７では、標章３３は、性別毎に異なる模様になっており、かつ、年齢層毎に（図７では大人か子供かに応じて）異なる大きさになっている。これにより、映像データ３０を見ることで、対象領域３１にいる各人の性別及び年齢層を特定することができる。
なお、一定時間毎に、あるいは、映像データ３０を構成する一定フレーム毎に、指定情報である属性の特定を行い、同一物体３２に対して基準回数以上連続して同じ属性が判定されたことを条件として、条件を満たした場合に標章３３を変化させてもよい。これにより一定の確度の場合は、映像データ３０にその属性を標章３３として表示することができる。
また属性判定に用いる基準回数は、映像データ３０の撮影場所、時間帯等により任意に変更することができる。例えば利用者はログデータとして記憶された映像データを見て、何らかの監視や制御を行うことができる。映像データ上の標章３３の表示頻度が予想より多いまたは少ないことを確認した場合は、基準回数を変更することができる。このようにログデータ上の標章３３は、監視や制御を行うシステムの設定に用いることが期待できる。
【００４１】
＜変形例３＞
図８を参照して、図３と図５と図７とは異なる例を説明する。
図８では、映像データ３０には複数の対象領域３１が含まれている。
この場合、図６に示す例のように、対象領域３１毎に条件が設定されてもよい。同様に、対象領域３１毎に計器のバーの長さを変化させる時間間隔を変えてもよい。
また、対象領域３１毎に部分条件を定め、複数の対象領域３１についての部分条件の組合せによって、条件が設定されてもよい。例えば、領域Ａの部分条件を満たし、かつ、領域Ｂの部分条件を満たす場合に、条件を満たしたとして、標章３３を変化させるようにしてもよい。
【００４２】
＜変形例４＞
実施の形態１では、各機能構成要素がソフトウェアで実現された。しかし、変形例４として、各機能構成要素はハードウェアで実現されてもよい。この変形例４について、実施の形態１と異なる点を説明する。
【００４３】
図９を参照して、変形例４に係る映像表示装置１０の構成を説明する。
各機能構成要素がハードウェアで実現される場合には、映像表示装置１０は、プロセッサ１１とメモリ１２とストレージ１３とに代えて、電子回路１５を備える。電子回路１５は、各機能構成要素と、メモリ１２と、ストレージ１３との機能とを実現する専用の回路である。
【００４４】
電子回路１５としては、単一回路、複合回路、プログラム化したプロセッサ、並列プログラム化したプロセッサ、ロジックＩＣ、ＧＡ（Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）が想定される。
各機能構成要素を１つの電子回路１５で実現してもよいし、各機能構成要素を複数の電子回路１５に分散させて実現してもよい。
【００４５】
＜変形例５＞
変形例５として、一部の各機能構成要素がハードウェアで実現され、他の各機能構成要素がソフトウェアで実現されてもよい。
【００４６】
プロセッサ１１とメモリ１２とストレージ１３と電子回路１５とを処理回路という。つまり、各機能構成要素の機能は、処理回路により実現される。
【符号の説明】
【００４７】
１０  映像表示装置、１１  プロセッサ、１２  メモリ、１３  ストレージ、１４  通信インタフェース、１５  電子回路、２１  映像取得部、２２  物体特定部、２３  情報特定部、２４  映像表示部、２５  標章表示部、３０  映像データ、３１  対象領域、３２  物体、３３  標章。
【図１】
2019062402.tif 000003
【図２】
2019062402.tif 000004
【図３】
2019062402.tif 000005
【図４】
2019062402.tif 000006
【図５】
2019062402.tif 000007
【図６】
2019062402.tif 000008
【図７】
2019062402.tif 000009
【図８】
2019062402.tif 000010
【図９】
2019062402.tif 000011
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
映像データに含まれる領域のうち対象領域に存在する対象の物体を特定する物体特定部と、
前記物体特定部によって特定された前記物体についての指定情報を特定する情報特定部と、
前記映像データを表示する映像表示部と、
前記情報特定部によって特定された前記指定情報に応じた値を示す計器を表す図形を、前記物体の付近に前記物体の移動に追従させて、前記映像表示部によって表示される前記映像データ上に表示する標章表示部と
を備える映像表示装置。
【請求項２】
前記標章表示部は、前記指定情報が条件を満たすか否かに応じて、前記図形の色と模様と大きさと形状との少なくともいずれかを変化させて表示する
請求項１に記載の映像表示装置。
【請求項３】
前記指定情報は、対象領域における前記物体の滞在時間であり、
前記標章表示部は、前記滞在時間を示す計器を表す図形を表示する
請求項１又は２に記載の映像表示装置。
【請求項４】
前記標章表示部は、前記滞在時間が条件として指定された基準時間よりも長い場合には、前記図形を変化させて表示する
請求項３に記載の映像表示装置。
【請求項５】
映像データに含まれる領域のうち複数の対象領域のいずれかに存在する対象の物体を特定する物体特定部と、
前記物体特定部によって特定された前記物体についての指定情報を特定する情報特定部と、
前記映像データを表示する映像表示部と、
前記情報特定部によって特定された前記指定情報を表す標章を、前記物体の付近に前記物体の移動に追従させて、前記映像表示部によって表示される前記映像データ上に表示する標章表示部であって、対象領域毎に定められた条件を前記指定情報が満たすか否かに応じて、異なる標章を表示する標章表示部と
を備える映像表示装置。
【請求項６】
映像データに含まれる領域のうち複数の対象領域のいずれかに存在する対象の物体を特定する物体特定部と、
前記物体特定部によって特定された前記物体についての指定情報を特定する情報特定部と、
前記映像データを表示する映像表示部と、
前記情報特定部によって特定された前記指定情報を表す標章を、前記物体の付近に前記物体の移動に追従させて、前記映像表示部によって表示される前記映像データ上に表示する標章表示部であって、対象領域毎に定められた部分条件の組合せによって定められた条件を前記指定情報が満たすか否かに応じて、異なる標章を表示する標章表示部と
を備える映像表示装置。
【請求項７】
映像データに含まれる領域のうち対象領域に存在する物体を特定する対象特定処理と、
前記対象特定処理によって特定された前記物体についての指定情報を特定する情報特定処理と、
前記映像データを表示する映像表示処理と、
前記情報特定処理によって特定された前記指定情報に応じた値を示す計器を表す図形を、前記物体の付近に前記物体の移動に追従させて、前記映像表示処理によって表示される前記映像データ上に表示する標章表示処理と
をコンピュータに実行させる映像表示プログラム。
【請求項８】
映像データに含まれる領域のうち対象領域に存在する物体を特定する対象特定処理と、
前記対象特定処理によって特定された前記物体についての指定情報を特定する情報特定処理と、
前記映像データを表示する映像表示処理と、
前記情報特定処理によって特定された前記指定情報を表す標章を、前記物体の付近に前記物体の移動に追従させて、前記映像表示処理によって表示される前記映像データ上に表示する標章表示処理であって、対象領域毎に定められた条件を前記指定情報が満たすか否かに応じて、異なる標章を表示する標章表示処理と
をコンピュータに実行させる映像表示プログラム。
【請求項９】
映像データに含まれる領域のうち対象領域に存在する物体を特定する対象特定処理と、
前記対象特定処理によって特定された前記物体についての指定情報を特定する情報特定処理と、
前記映像データを表示する映像表示処理と、
前記情報特定処理によって特定された前記指定情報を表す標章を、前記物体の付近に前記物体の移動に追従させて、前記映像表示処理によって表示される前記映像データ上に表示する標章表示処理であって、対象領域毎に定められた部分条件の組合せによって定められた条件を前記指定情報が満たすか否かに応じて、異なる標章を表示する標章表示処理と
をコンピュータに実行させる映像表示プログラム。